(57)【特許請求の範囲】
【請求項１】
外壁面に多段の係止用溝を備え、該係止用溝の段数に応じた記号を周方向に複数備えた筒部と、前記筒部の一方の端部の外周に形成されるフランジ部とを有する雄グロメットと、前記雄グロメットの筒部を挿入可能で、且つ、内周面に一段の係止用突起を備えた開口部を有する円盤状雌グロメットとからなるとともに、マット固定具としてマットに装着した際に、該円盤状雌グロメットに挿入した前記雄グロメットの外壁面に備えた前記記号が前記円盤状雌グロメットの下面から下方向に突出し、目視確認できることを特徴とする、マット固定具。
【請求項２】
係止用溝を雄グロメット筒部の下端近傍から上端に向かって備えている、請求項１に記載のマット固定具。
【請求項３】
雄グロメット筒部が、外壁面に多段の係止用溝を備えた第１中空筒部と、その内部に、高さ方向にスリットを有する第２中空筒部とを有する、請求項１又は２に記載のマット固定具。
【請求項４】
雄グロメットの天井部が開口しており、第２中空筒部の内壁面に突起を有する、請求項３に記載のマット固定具。
【請求項５】
前記突起を、第２中空筒部の内壁面の全周にわたって有する、請求項４に記載のマット固定具。
【請求項６】
雄グロメット筒部の外周の形状及び大きさと、円盤状雌グロメット開口部の形状及び大きさが、略同一である、請求項１〜５のいずれか一項に記載のマット固定具。
【発明の詳細な説明】
【技術分野】
【０００１】
本発明は、マット固定具に関する。
【背景技術】
【０００２】
特許文献１には、図１１に示すような、マット１０９に使用するための、多段の係止用溝を備えた内筒部１１１を有する雄グロメット１０１と、係止爪を備えた外筒部１２９を有する雌グロメット１０２とからなるマット固定具１１０が開示されている。
このマット固定具は、雄グロメットの内筒部を雌グロメットの外筒部へ押し込むことによって、マット穴を補強することができる。なお、このマット固定具は、多段の係止用溝を備えた内筒部を有するため、種々のマットの厚さに対応することができる。
【０００３】
しかしながら、このようなマット固定具を使用してマット穴を補強した場合、図１１から明らかなように、押し込みの程度が分かりづらく、マット穴補強時の品質管理が難しいとの欠点があった。また、マット固定具が水平に装着されているか否かが分かりづらく、この点からも、マット穴補強時の品質管理が難しいとの欠点があった。
【先行技術文献】
【特許文献】
【０００４】
【特許文献１】特開２００２−１９３０１６号公報
【発明の概要】
【発明が解決しようとする課題】
【０００５】
本発明の第１の課題は、雄グロメットの雌グロメットへの押し込みの程度を確認することができ、マット穴補強時の品質管理が容易である、マット固定具を提供することにある。
また、本発明の第２の課題は、マット固定具が水平に装着されていることを確認することができ、マット穴補強時の品質管理が容易である、マット固定具を提供することにある。
【課題を解決するための手段】
【０００６】
本発明は、
［１］外壁面に多段の係止用溝を備えた筒部と、前記筒部の一方の端部の外周に形成されるフランジ部とを有する雄グロメットと、前記雄グロメットの筒部を挿入可能で、且つ、内周面に一段の係止用突起を備えた開口部を有する円盤状雌グロメットとからなる、マット固定具、
［２］雄グロメット筒部に、係止用溝の数に応じた記号が付されている、［１］のマット固定具、
［３］雄グロメット筒部の周方向に、前記記号が複数箇所に付されている、［２］のマット固定具、
［４］係止用溝を雄グロメット筒部の下端近傍から上端に向かって備えている、［１］〜［３］のいずれかのマット固定具、
［５］雄グロメット筒部が、外壁面に多段の係止用溝を備えた第１中空筒部と、その内部に、高さ方向にスリットを有する第２中空筒部とを有する、［１］〜［４］のいずれかのマット固定具、
［６］雄グロメットの天井部が開口しており、第２中空筒部の内壁面に突起を有する、［５］のマット固定具、
［７］前記突起を、第２中空筒部の内壁面の全周にわたって有する、［６］のマット固定具、
［８］雄グロメット筒部の外周の形状及び大きさと、円盤状雌グロメット開口部の形状及び大きさが、略同一である、［１］〜［７］のいずれかのマット固定具
に関する。
【発明の効果】
【０００７】
前記［１］の本発明のマット固定具によれば、雄グロメットを円盤状雌グロメットに押し込んだ場合、円盤状雌グロメットから突出した雄グロメットの係止用溝の数を数えることができるため、雄グロメットの円盤状雌グロメットへの押し込みの程度を確認することができる。
【０００８】
本発明の好適態様である前記［２］のマット固定具によれば、雄グロメットの係止用溝の数を数えなくても、記号から、押し込みの程度を容易に確認することができる。
【０００９】
本発明の好適態様である前記［３］のマット固定具によれば、全ての記号が同じように確認できれば、マット固定具が水平に装着されていることを意味するため、マット穴補強時の品質管理が容易である。
【００１０】
本発明の好適態様である前記［４］のマット固定具によれば、種々の厚さのマットに対応することができる。
【００１１】
本発明の好適態様である前記［５］のマット固定具によれば、第２中空筒部がスリットを有することによって、車両のマット固定用クリップを挿入した時に拡径することができるため、車両のクリップと勘合し、マットが固定しやすくなる。
【００１２】
本発明の好適態様である前記［６］のマット固定具によれば、車両のクリップを挿入して突起に勘合させることができるため、勘合具合を目視により確認することができる。
【００１３】
本発明の好適態様である前記［７］のマット固定具によれば、突起を全周にわたって有するため、車両のクリップの勘合具合を、傾きを含めて、確認することができる。
【００１４】
本発明の好適態様である前記［８］のマット固定具によれば、雄グロメットと円盤状雌グロメットとが密着できるため、カーペットマットのパイルが円盤状雌グロメットからはみ出さない。
【図面の簡単な説明】
【００１５】
【図１】雄グロメットを円盤状雌グロメットに押し込んだ状態の本発明のマット固定具の一態様（以下、本実施態様と称する）を模式的に示す斜視図である。
【図２】図１に示す雄グロメットを模式的に示す斜視図である。
【図３】図１に示す円盤状雌グロメットを模式的に示す斜視図である。
【図４】図１に示す本発明のマット固定具の一態様（本実施態様）を模式的に示す側面図及び断面図（図７のＡ−Ａ線および図９のＢ−Ｂ線断面図）である。
【図５】図１及び図４に示す本発明のマット固定具の一態様（本実施態様）を、雄グロメットと円盤状雌グロメットとを分離した状態で、模式的に示す側面図である。
【図６】図１及び図４に示す本発明のマット固定具の一態様（本実施態様）を、雄グロメットと円盤状雌グロメットとを分離した状態で、模式的に示す断面図（図７のＡ−Ａ線および図９のＢ−Ｂ線断面図）である。
【図７】図１及び図４に示す雄グロメットを模式的に示す平面図である。
【図８】図１及び図４に示す雄グロメットを模式的に示す底面図である。
【図９】図１及び図４に示す円盤状雌グロメットを模式的に示す平面図である。
【図１０】図１及び図４に示す円盤状雌グロメットを模式的に示す底面図である。
【図１１】特許文献１（特開２００２−１９３０１６号公報）に記載の従来公知のマット固定具を、マットに固定した状態を示す正面断面図である。
【発明を実施するための形態】
【００１６】
以下、本発明のマット固定具について、図面を参照しながら説明する。
図１は、雄グロメットを円盤状雌グロメットに押し込んだ状態の本発明のマット固定具の一態様（以下、本実施態様と称する）を模式的に示す斜視図である。図２及び図３は、それぞれ、図１に示す雄グロメット及び円盤状雌グロメットを模式的に示す斜視図である。図４は、図１に示す本発明のマット固定具の一態様（本実施態様）を模式的に示す側面図及び断面図（図７のＡ−Ａ線および図９のＢ−Ｂ線断面図）である。図５及び図６は、それぞれ、図１及び図４に示す本発明のマット固定具の一態様（本実施態様）を、雄グロメットと円盤状雌グロメットとを分離した状態で、模式的に示す側面図及び断面図（図７のＡ−Ａ線および図９のＢ−Ｂ線断面図）である。図７及び図８は、それぞれ、図１及び図４に示す雄グロメットを模式的に示す平面図及び底面図である。図９及び図１０は、それぞれ、図１及び図４に示す円盤状雌グロメットを模式的に示す平面図及び底面図である。
【００１７】
本発明のマット固定具１０は、雄グロメット１と円盤状雌グロメット２とからなる。
雄グロメット１は、筒部１１と、その一方の端部（本実施態様では上端部）の外周に形成されるフランジ部１２とからなる。また、円盤状雌グロメット２は、その中央に、雄グロメット１の筒部１１を挿入可能な開口部２１を有する。
【００１８】
雄グロメット１のフランジ部１２において、筒部１１と反対側の面１２ａは、マット固定具としてマットに装着した際にマット表面に表れる装飾面であり、その反対面１２ｂは、マットと接する面である。フランジ部１２のマットと接する側の面１２ｂには、突起１３が複数個（本実施態様では４個）設けられており、マット装着時にマットに食い込んで、固定具が回転するのを防止することができる。突起の数は、本発明では特に限定されるものではなく、適宜決定することができる。
【００１９】
雄グロメット１の筒部１１の外壁面１１ａには、円周方向に延びる（すなわち、フランジ部１２と平行に延びる）係止用溝１４が、上下方向に複数段（本実施態様では３段）設けられている。係止用溝は、全周にわたって連続して設けることもできるが、マットに装着した際に、雄グロメットと円盤状雌グロメットとが回転してずれることを防止するために、係止用溝を設ける領域（図５の領域１４ａ）と、設けない領域（図５の領域１４ｂ）とが交互になるように配置することが好ましい。本実施態様では、係止用溝１４を設ける領域を、一周当たり４箇所設けているが、本発明では特に限定されるものではなく、適宜決定することができる。
【００２０】
雄グロメット筒部１１の外壁面１１ａに設ける係止用溝１４は、筒部１１におけるフランジ部１２と反対側の端部（本実施態様では下端）近傍から、もう一方の端部（本実施態様では上端）に向かって、複数段配置する。このように配置することによって、種々の厚さのマットに対応することができる。本実施態様では、係止用溝１４を３段設けているが、本発明では特に限定されるものではなく、適宜決定することができる。
【００２１】
円盤状雌グロメット２は、その中央に、開口部２１を有する。前記開口部２１は、内周面２１ａに一段の係止用突起２２を備えており、雄グロメット１の筒部１１を開口部２１に挿入すると、係止用突起２２が、複数段のいずれかの段の係止用溝１４にはまり込むことにより、雄グロメット１と円盤状雌グロメット２とが連結される。本発明においては、雄グロメットの筒部の外周の形状及び大きさと、円盤状雌グロメット開口部の形状及び大きさが、略同一であると、雄グロメットと円盤状雌グロメットとが密着でき、カーペットマットのパイルが円盤状雌グロメットからはみ出さないため、好ましい。
【００２２】
円盤状雌グロメット開口部２１の内周面２１ａに設ける係止用突起２２は、雄グロメット筒部１１の係止用溝１４が全周にわたって連続している場合、開口部２１の内周面２１ａの全周にわたって連続して設けることもできるが、マットに装着する際に、係止用突起２２の変形により、雄グロメット筒部１１の係止用溝１４にはまりやすいように、係止用突起を設ける領域と、設けない領域とが交互になるように配置することが好ましい。本実施態様では、係止用突起を設ける領域を、４箇所設けているが、本発明では特に限定されるものではなく、適宜決定することができる。
【００２３】
円盤状雌グロメット２において、雄グロメット１のフランジ部１２と対向する面２ａは、マット固定具としてマットに装着した際にマットと接する面であり、その反対面２ｂは、マット裏面に露出する面である。円盤状雌グロメット２のマットと接する側の面２ａには、突起２３が複数個（本実施態様では８個）設けられており、マット装着時にマットに食い込んで、固定具が回転するのを防止することができる。突起の数は、本発明では特に限定されるものではなく、適宜決定することができる。
【００２４】
本発明においては、雄グロメット筒部１１の外壁面１１ａに、各係止用溝１４に対応する記号を付すことができる。例えば、本実施態様では、図５に示すように、外壁面１１ａに設けた３段の係止用溝１４に対して、係止用溝とそれに隣接する係止用溝との間の領域１４ｂに、数字「２」及び「３」が横向きに付されている。
例えば、マットの厚みが中程度で、係止用突起２２が中央（すなわち、下から数えて２段目）の係止用溝１４にはまり込むまで、雄グロメット筒部１１を円盤状雌グロメットの開口部２１に押し込んだ場合、雄グロメット筒部１１の下端が、円盤状雌グロメットの下面２ｂから下方向に突出し、その外壁面１１ａに「２」の数字を確認することができる。また、マットの厚みが薄く、係止用突起が最も上側（すなわち、下から数えて３段目）の係止用溝にはまり込むまで、雄グロメット筒部を円盤状雌グロメットの開口部に押し込んだ場合、円盤状雌グロメットの下面から下方向に突出した外壁面に、「２」及び「３」の数字を確認することができる。
【００２５】
前記記号としては、例えば、数字、アルファベット、ドット、文字などを挙げることができる。また、外壁面に記号を付す方法としては、例えば、成形、印刻、印刷などを挙げることができる。このような記号を付すことにより、係止用溝の数を数えなくても、雄グロメットの円盤状雌グロメットへの押し込みの程度を容易に確認することができる。
また、本発明では、このような記号を、雄グロメット筒部の周方向に複数箇所設けることができ、全ての記号が同じように確認できれば、マット固定具が水平に装着されていることを容易に確認できる。
【００２６】
本発明においては、雄グロメット筒部の外壁面に前記記号を付す場合には、外壁面の曲面にそのまま付すこともできるし、あるいは、図５、図６に示すように、平面になるように加工した外壁面（図５、図６における領域１４ｃ）に付すこともできる。
【００２７】
本発明においては、雄グロメットにおける、多段の係止用溝を備えた前記筒部として、本実施態様に示すように、内部が中空の筒部（以下、第１中空筒部と称する）１１を使用することができ、更に、前記第１中空筒部１１の内部に、高さ方向にスリット１５を有する中空筒部（以下、第２中空筒部と称する）１１’を設けることができる。本実施態様では、６個のスリット１５を設けているが、本発明では特に限定されるものではなく、適宜決定することができる。第２中空筒部がスリットを有することによって、車両のマット固定用クリップを挿入した時に拡径することができるため、車両のクリップと勘合し、マットが固定しやすくなる。
【００２８】
本発明において、前記の第２中空筒部１１’を設ける場合には、車両のクリップと勘合させるための突起を、第２中空筒部の内壁面１１’ａに内向きに設けることが好ましい。このような突起としては、本実施態様において、内壁面１１’ａの中央よりやや下に設けた突起１６、内壁面１１’ａの下端に設けた突起１７等を挙げることができる。特に、天井部が開口されている雄グロメットにおいて、内壁面の中央よりやや下に突起を設けた場合、車両のクリップを挿入して突起に勘合させる際に、勘合具合を目視で確認することができるため、好ましい。
【００２９】
また、天井部が開口されている雄グロメットにおいて、内壁面の中央よりやや下に突起を設けた場合、更に、前記突起が、第２中空筒部の内壁面の全周にわたって設けられていると、車両のクリップの勘合具合を、傾きを含めて確認することができるため、より好ましい。
【００３０】
本発明においては、雄グロメット及び円盤状雌グロメットを形成する材料としては、特に限定されるものではないが、例えば、ポリプロピレン、ポリエチレン等のポリオレフィン系樹脂、あるいは、ポリアミド、ポリアセタール等のエンジニアリングプラスチック等を用いて成形することができる。
【産業上の利用可能性】
【００３１】
本発明のマット固定具は、自動車等のフロアマットに設けるマット穴の補強の用途に用いることができる。
【符号の説明】
【００３２】
１・・・雄グロメット；２・・・円盤状雌グロメット；１０・・・マット固定具；
１１・・・筒部（第１中空筒部）；１１’・・・第２中空筒部；１２・・・フランジ部；１３・・・突起；１４・・・係止用溝；１５・・・スリット；
１６・・・突起；１７・・・突起；
２１・・・開口部；２２・・・係止用突起。
【図１】
0006335768.tif 000002
【図２】
0006335768.tif 000003
【図３】
0006335768.tif 000004
【図４】
0006335768.tif 000005
【図５】
0006335768.tif 000006
【図６】
0006335768.tif 000007
【図７】
0006335768.tif 000008
【図８】
0006335768.tif 000009
【図９】
0006335768.tif 000010
【図１０】
0006335768.tif 000011
【図１１】
0006335768.tif 000012